(57)【要約】【課題】ハウジングに収容されたバスバを保護することができる照明装置を提供する。【解決手段】、ハウジング３と、このハウジング３の一面側に組付けられるレンズ５と、ハウジング３に収容されレンズ５と対向して配置されるバルブ７と、ハウジング３に収容されバルブ７の点灯と消灯とを行うスイッチ９と、ハウジング３に収容されバルブ７とスイッチ９とに接続されバルブ７に電力を供給するバスバ１１とを備えた照明装置１において、ハウジング３の他面側に、ハウジング３を閉塞するカバー１３を組付けた。【選択図】図４
2015006868.tif 000002
【特許請求の範囲】
【請求項１】
ハウジングと、このハウジングの一面側に組付けられるレンズと、前記ハウジングに収容され前記レンズと対向して配置されるバルブと、前記ハウジングに収容され前記バルブの点灯と消灯とを行うスイッチと、前記ハウジングに収容され前記バルブと前記スイッチとに接続され前記バルブに電力を供給するバスバとを備えた照明装置であって、
前記ハウジングの他面側には、前記ハウジングを閉塞するカバーが組付けられることを特徴とする照明装置。
【請求項２】
請求項１記載の照明装置であって、
前記カバーには、前記スイッチの前記ハウジングに対する正規収容位置で、前記ハウジングとの間に前記スイッチを挟んで配置され、前記スイッチを前記ハウジングに保持する保持部が設けられていることを特徴とする照明装置。
【請求項３】
請求項１又は２記載の照明装置であって、
前記カバーは、前記ハウジングにヒンジ部を介して開閉可能に連結されていることを特徴とする照明装置。
【請求項４】
請求項１乃至３のいずれか１項に記載の照明装置であって、
前記カバーには、前記ハウジングを閉塞した状態で、前記バスバに当接して前記バスバを前記ハウジングに保持する押圧部が設けられていることを特徴とする照明装置。
【請求項５】
請求項１乃至４のいずれか１項に記載の照明装置であって、
前記ハウジングには、前記バスバに電力を供給するコネクタが収容され、
前記バルブ近傍と前記コネクタ近傍の前記バスバは、前記ハウジングに溶着固定されていることを特徴とする照明装置。
【請求項６】
請求項１乃至５のいずれか１項に記載の照明装置であって、
前記スイッチ近傍の前記バスバは、前記ハウジングに溶着固定されていることを特徴とする照明装置。
【発明の詳細な説明】
【技術分野】
【０００１】
本発明は、車両に適用される照明装置に関する。
【背景技術】
【０００２】
従来、照明装置としては、ハウジングと、このハウジングの一面側に組付けられるレンズと、ハウジングに収容されレンズと対向して配置されるバルブと、レンズに組付けられバルブの点灯と消灯とを行うスイッチと、ハウジングに収容されバルブとスイッチとに接続されバルブに電力を供給するバスバとを備えたものが知られている（例えば、特許文献１参照）。
【０００３】
この照明装置では、ハウジングのレンズが組付けられた一面側を車室側に向けて車室の天井などに設けられたトリムの開口部に組付けられ、ハウジングの他面側を車両ボディとトリムとの間に配置させている。
【先行技術文献】
【特許文献】
【０００４】
【特許文献１】特開２０１２−１４２１４７号公報
【発明の概要】
【発明が解決しようとする課題】
【０００５】
しかしながら、上記特許文献１のような照明装置では、ハウジングの他面側からバスバが外部に露出されているので、照明装置を車両に組付けるまでに、バスバの外れ、変形、汚れの付着などを発生する恐れがあった。
【０００６】
一方、照明装置を車両に組付けた状態では、車両ボディからの水滴や削れカスなどがバスバに落ちる恐れがあり、ショートする可能性があった。
【０００７】
そこで、この発明は、ハウジングに収容されたバスバを保護することができる照明装置の提供を目的としている。
【課題を解決するための手段】
【０００８】
請求項１記載の発明は、ハウジングと、このハウジングの一面側に組付けられるレンズと、前記ハウジングに収容され前記レンズと対向して配置されるバルブと、前記ハウジングに収容され前記バルブの点灯と消灯とを行うスイッチと、前記ハウジングに収容され前記バルブと前記スイッチとに接続され前記バルブに電力を供給するバスバとを備えた照明装置であって、前記ハウジングの他面側には、前記ハウジングを閉塞するカバーが組付けられることを特徴とする。
【０００９】
この照明装置では、ハウジングの他面側にハウジングを閉塞するカバーが組付けられるので、照明装置を組付けるまでのバスバの外れ、変形、汚れの付着などを防止することができる。
【００１０】
一方、照明装置を組付けた状態では、カバーによってハウジングの他面側からバスバが露出することがないので、バスバと水滴や削れカスなどとの接触を防止することができ、ショートを防止することができる。
【００１１】
従って、このような照明装置では、ハウジングの他面側に組付けられるカバーによってバスバが露出することがなく、ハウジングに収容されたバスバを保護することができる。
【００１２】
請求項２記載の発明は、請求項１記載の照明装置であって、前記カバーには、前記スイッチの前記ハウジングに対する正規収容位置で、前記ハウジングとの間に前記スイッチを挟んで配置され、前記スイッチを前記ハウジングに保持する保持部が設けられていることを特徴とする。
【００１３】
この照明装置では、カバーにスイッチのハウジングに対する正規収容位置で、ハウジングとの間にスイッチを挟んで配置され、スイッチをハウジングに保持する保持部が設けられているので、ハウジング内でスイッチが移動することがなく、スイッチの断続操作を安定化させることができる。
【００１４】
また、保持部は、スイッチのハウジングに対する正規収容位置で、ハウジングとの間にスイッチを挟んで配置されるので、スイッチがハウジングに対して正規に収容されていない場合、保持部がスイッチと干渉してカバーをハウジングに組付けることができない。これにより、スイッチのハウジングに対する誤収容を防止することができる。
【００１５】
請求項３記載の発明は、請求項１又は２記載の照明装置であって、前記カバーは、前記ハウジングにヒンジ部を介して開閉可能に連結されていることを特徴とする。
【００１６】
この照明装置では、カバーがハウジングにヒンジ部を介して開閉可能に連結されているので、ハウジングとカバーとを一部材で取り扱うことができ、部品点数を削減することができる。
【００１７】
請求項４記載の発明は、請求項１乃至３のいずれか１項に記載の照明装置であって、前記カバーには、前記ハウジングを閉塞した状態で、前記バスバに当接して前記バスバを前記ハウジングに保持する押圧部が設けられていることを特徴とする。
【００１８】
この照明装置では、カバーにハウジングを閉塞した状態で、バスバに当接してバスバをハウジングに保持する押圧部が設けられているので、ハウジング内でバスバが移動することがなく、バスバをハウジングに確実に保持することができる。
【００１９】
また、バスバに変形や浮きなどが生じている場合には、押圧部がバスバの異常部分に干渉し、カバーをハウジングに組付けることができない。これにより、バスバの異常を検知することができる。
【００２０】
請求項５記載の発明は、請求項１乃至４のいずれか１項に記載の照明装置であって、前記ハウジングには、前記バスバに電力を供給するコネクタが収容され、前記バルブ近傍と前記コネクタ近傍の前記バスバは、前記ハウジングに溶着固定されていることを特徴とする。
【００２１】
この照明装置では、バルブ近傍とコネクタ近傍のバスバがハウジングに溶着固定されているので、バルブの取付時やコネクタの嵌合時にハウジング内でバスバが移動することを防止することができる。
【００２２】
請求項６記載の発明は、請求項１乃至５のいずれか１項に記載の照明装置であって、前記スイッチ近傍の前記バスバは、前記ハウジングに溶着固定されていることを特徴とする。
【００２３】
この照明装置では、スイッチ近傍のバスバがハウジングに溶着固定されているので、スイッチの断続操作によってハウジング内でバスバが移動することを防止することができる。
【発明の効果】
【００２４】
本発明によれば、ハウジングに収容されたバスバを保護することができる照明装置を提供することができるという効果を奏する。
【図面の簡単な説明】
【００２５】
【図１】本発明の第１実施形態に係る照明装置の分解斜視図である。
【図２】本発明の第１実施形態に係る照明装置のハウジングの一面側から見た斜視図である。
【図３】本発明の第１実施形態に係る照明装置のハウジングの他面側から見た斜視図である。
【図４】本発明の第１実施形態に係る照明装置のカバーをハウジングに組付ける前の斜視図である。
【図５】本発明の第１実施形態に係る照明装置のカバーをハウジングに組付ける前の断面図である。
【図６】本発明の第１実施形態に係る照明装置のカバーをハウジングに組付けたときの断面図である。
【図７】本発明の第１実施形態に係る照明装置のスイッチがハウジングの正規収容位置に配置されていないときに、カバーをハウジングに組付けるときの断面図である。
【図８】本発明の第２実施形態に係る照明装置の分解斜視図である。
【図９】本発明の第２実施形態に係る照明装置のカバーをハウジングに組付ける前の斜視図である。
【図１０】本発明の第２実施形態に係る照明装置のカバーをハウジングに組付ける前の断面図である。
【図１１】本発明の第２実施形態に係る照明装置のカバーをハウジングに組付けたときの断面図である。
【図１２】本発明の第２実施形態に係る照明装置のカバーをハウジングに組付けたときの断面図である。
【図１３】本発明の第２実施形態に係る照明装置のバスバに異常部分が発生しているときに、カバーをハウジングに組付けるときの断面図である。
【図１４】本発明の第３実施形態に係る照明装置のカバーをハウジングに組付ける前の断面図である。
【図１５】本発明の第３実施形態に係る照明装置のカバーをハウジングに組付けたときの断面図である。
【図１６】本発明の第３実施形態に係る照明装置のカバーをハウジングに組付けたときの断面図である。
【図１７】（ａ）は本発明の第３実施形態に係る照明装置のバルブ近傍のバスバを溶着固定する前の斜視図である。（ｂ）は本発明の第３実施形態に係る照明装置のバルブ近傍のバスバを溶着固定したときの斜視図である。
【図１８】（ａ）は本発明の第３実施形態に係る照明装置のコネクタ近傍のバスバを溶着固定する前の斜視図である。（ｂ）は本発明の第３実施形態に係る照明装置のコネクタ近傍のバスバを溶着固定したときの斜視図である。
【図１９】本発明の第４実施形態に係る照明装置のカバーをハウジングに組付ける前の断面図である。
【図２０】本発明の第４実施形態に係る照明装置のカバーをハウジングに組付けたときの断面図である。
【図２１】（ａ）は本発明の第４実施形態に係る照明装置のスイッチ近傍のバスバを溶着固定する前の斜視図である。（ｂ）は本発明の第３実施形態に係る照明装置のスイッチ近傍のバスバを溶着固定したときの斜視図である。
【発明を実施するための形態】
【００２６】
図１〜図２１を用いて本発明の実施の形態に係る照明装置について説明する。
【００２７】
（第１実施形態）
図１〜図７を用いて第１実施形態について説明する。
【００２８】
本実施の形態に係る照明装置１は、ハウジング３と、このハウジング３の一面側に組付けられるレンズ５と、ハウジング３に収容されレンズ５と対向して配置されるバルブ７と、ハウジング３に収容されバルブ７の点灯と消灯とを行うスイッチ９と、ハウジング３に収容されバルブ７とスイッチ９とに接続されバルブ７に電力を供給するバスバ１１とを備えている。
【００２９】
そして、ハウジング３の他面側には、ハウジング３を閉塞するカバー１３が組付けられる。
【００３０】
また、カバー１３には、スイッチ９のハウジング３に対する正規収容位置で、ハウジング３との間にスイッチ９を挟んで配置され、スイッチ９をハウジング３に保持する保持部１５が設けられている。
【００３１】
さらに、カバー１３は、ハウジング３にヒンジ部１７を介して開閉可能に連結されている。
【００３２】
ここで、照明装置１は、例えば、車両の車室内の天井などに配置された車両ボディとトリムとの間などに設けられ、車室内を照らす車両用照明装置などに適用される。
【００３３】
図１〜図７に示すように、ハウジング３は、合成樹脂などの絶縁性材料からなり、筐体状に形成され、一面側に収容部材を配置させるための平板状に形成された配置部１９が設けられ、配置部１９と対向する他面側が開口されている。
【００３４】
このハウジング３は、車両の車室内の天井などに配置された車両ボディとトリムとの間などに配置され、互いに係合する係止手段や固定部材を用いる固定手段などによって固定される。このようなハウジング３の一面側には、レンズ５が組付けられ、配置部１９にバルブ７と、スイッチ９と、バスバ１１とが配置されてハウジング３内に収容されている。
【００３５】
レンズ５は、透過性を有する合成樹脂などからなり、ハウジング３の一面側を閉塞するようにハウジング３の両側に、ここでは、２つ組付けられる。このレンズ５は、ハウジング３が車両に組付けられた状態で、車室内に向けて配置される。このようなレンズ５は、ハウジング３内に収容されたバルブ７の光を透過し、車室内を照射する。
【００３６】
バルブ７は、車室内を照射する光源として機能し、バスバ１１に接続される接続部がハウジング３の配置部１９に設けられた孔部をハウジング３の他面側に向けて挿通し、光源部がレンズ５と対向するようにハウジング３の配置部１９に、ここでは、２つ組付けられる。このバルブ７は、ハウジング３内に収容されたスイッチ９によって、点灯と消灯とが行われる。
【００３７】
スイッチ９は、接点部２１が筐体に一体に設けられた密封式スイッチからなり、接点部２１がハウジング３の配置部１９に設けられた孔部を一面側に向けて挿通し、レンズ５にハウジング３内に向けて突設された操作部２３と当接されるように、ハウジング３の配置部１９に、ここでは、２つ組付けられる。
【００３８】
このスイッチ９は、バルブ７に電力を供給するバスバ１１に接続され、レンズ５の操作部２３を介して接点部２１を押圧操作することにより、バルブ７への電力供給を断続し、バルブ７の点灯と消灯とを行う。
【００３９】
バスバ１１は、導電性材料からなり、電源供給バスバ２５と、この電源供給バスバ２５に対して対称に配置されスイッチ９にそれぞれ接続されるスイッチバスバ２７と、電源供給バスバ２５に対して対称に配置されスイッチ９とバルブ７とに接続されるバルブバスバ２９とを備えている。
【００４０】
電源供給バスバ２５は、Ｔ字状に形成され、両端部がバルブ７の接続部に接続され、中央部の端部がハウジング３の配置部１９に配置され電源に接続された電源供給コネクタ（不図示）が嵌合されるコネクタ３１内に配置される。
【００４１】
スイッチバスバ２７は、Ｕ字状に形成され、一端部がコネクタ３１内に配置され、他端部がスイッチ９に挿入されて接続される。
【００４２】
バルブバスバ２９は、Ｙ字状に形成され、一端部がスイッチ９に挿入されて接続され、他端部がバルブ７の接続部を電源供給バスバ２５と挟持するようにバルブ７の接続部に接続される。
【００４３】
このバスバ１１は、ハウジング３の配置部１９上に配置される。このバスバ１１が配置部１９上に配置された状態では、バスバ１１がハウジング３の他面側の開口から外部に露出されている。このバスバ１１が露出されたハウジング３の他面側には、カバー１３が組付けられる。
【００４４】
カバー１３は、合成樹脂などの絶縁性材料からなり、ハウジング３の他面側を開閉可能なようにヒンジ部１７を介してハウジング３と一体に連結されている。このカバー１３は、ハウジング３の他面側に組付けられることにより、ハウジング３の他面側を閉塞し、バスバ１１がハウジング３の他面側から外部に露出することを防止する。
【００４５】
なお、ハウジング３とカバー１３とには、それぞれ係止凸部３３と係止凹部３５とが設けられ、ハウジング３の他面側にカバー１３が組付けられた状態で、係止凸部３３が係止凹部３５を係止ことにより、ハウジング３からのカバー１３の離脱を防止する。
【００４６】
このようなカバー１３のヒンジ部１７と反対側の端部には、ハウジング３にカバー１３が組付けられた状態で、ハウジング３の配置部１９との間にスイッチ９を挟んで配置される保持部１５が設けられている。
【００４７】
保持部１５は、カバー１３の表面から上方に向けて突設された２つのリブからなり、ハウジング３の配置部１９に配置されるスイッチ９と対応するように、ここでは、２箇所設けられている。
【００４８】
この保持部１５は、図６に示すように、スイッチ９にバスバ１１のバルブバスバ２９が正常に挿入されてスイッチ９がハウジング３に対して正規な収容位置に配置されている場合、ハウジング３の他面側にカバー１３を組付けることにより、ハウジング３の配置部１９との間にスイッチ９を挟んで配置される。
【００４９】
このようにスイッチ９のハウジング３に対する正規収容位置で、ハウジング３の配置部１９との間にスイッチ９を挟んで保持部１５を配置させることにより、スイッチ９のバルブバスバ２９からの抜けが防止され、スイッチ９をハウジング３に対する正規収容位置で保持することができる。
【００５０】
一方、保持部１５は、図７に示すように、スイッチ９にバスバ１１のバルブバスバ２９が挿入されず、スイッチ９がハウジング３に対して正規な収容位置に配置されていない場合、ハウジング３の他面側にカバー１３を組付けるときに、スイッチ９と干渉し、カバー１３をハウジング３に組付けできないようにする。
【００５１】
このようにスイッチ９がハウジング３に対して正規な収容位置に配置されていないときに、保持部１５とスイッチ９とが干渉することにより、カバー１３をハウジング３に組付けることができず、ハウジング３に対するスイッチ９の収容位置の異常を検知することができる。
【００５２】
なお、図６，図７では、スイッチ９にバスバ１１のバルブバスバ２９のみが挿入、或いは挿入されていないことを示しているが、スイッチ９には、バスバ１１のバルブバスバ２９だけでなく、上述したようにバスバ１１のスイッチバスバ２７も挿入される。
【００５３】
このような照明装置１では、ハウジング３の他面側にハウジング３を閉塞するカバー１３が組付けられるので、照明装置１を組付けるまでのバスバ１１の外れ、変形、汚れの付着などを防止することができる。
【００５４】
一方、照明装置１を組付けた状態では、カバー１３によってハウジング３の他面側からバスバ１１が露出することがないので、バスバ１１と水滴や削れカスなどとの接触を防止することができ、ショートを防止することができる。
【００５５】
従って、このような照明装置１では、ハウジング３の他面側に組付けられるカバー１３によってバスバ１１が露出することがなく、ハウジング３に収容されたバスバ１１を保護することができる。
【００５６】
また、カバー１３には、スイッチ９のハウジング３に対する正規収容位置で、ハウジング３との間にスイッチ９を挟んで配置され、スイッチ９をハウジング３に保持する保持部１５が設けられているので、ハウジング３内でスイッチ９が移動することがなく、スイッチ９の断続操作を安定化させることができる。
【００５７】
また、保持部１５は、スイッチ９のハウジング３に対する正規収容位置で、ハウジング３との間にスイッチ９を挟んで配置されるので、スイッチ９がハウジング３に対して正規に収容されていない場合、保持部１５がスイッチ９と干渉してカバー１３をハウジング３に組付けることができない。これにより、スイッチ９のハウジング３に対する誤収容を防止することができる。
【００５８】
さらに、カバー１３は、ハウジング３にヒンジ部１７を介して開閉可能に連結されているので、ハウジング３とカバー１３とを一部材で取り扱うことができ、部品点数を削減することができる。
【００５９】
（第２実施形態）
図８〜図１３を用いて第２実施形態について説明する。
【００６０】
本実施の形態に係る照明装置１０１は、カバー１３には、ハウジング３を閉塞した状態で、バスバ１１に当接してバスバ１１をハウジング３に保持する押圧部１０３が設けられている。
【００６１】
なお、第１実施形態と同様の構成には、同一の符号を付して構成及び機能説明は第１実施形態を参照するものとし省略するが、同様の構成であるので得られる作用・効果は同様である。
【００６２】
図８〜図１３に示すように、カバー１３には、ハウジング３にカバー１３が組付けられた状態で、ハウジング３の配置部１９上に配置されたバスバ１１に当接し、バスバ１１をハウジング３に保持する複数の押圧部１０３が設けられている。
【００６３】
押圧部１０３は、ハウジング３にカバー１３が組付けられた状態で、バスバ１１のうち少なくとも、電源供給バスバ２５と、バルブバスバ２９とに当接可能なように、カバー１３の表面から上方に向けてリブ状に突設されている。
【００６４】
この押圧部１０３は、図１１，図１２に示すように、バスバ１１に変形や浮きなどの異常がなく、ハウジング３の配置部１９上に配置されている場合、ハウジング３の他面側にカバー１３を組付けることにより、ハウジング３の配置部１９との間にバスバ１１を挟んで押圧する。
【００６５】
このようにカバー１３によってハウジング３の他面側を閉塞した状態で、押圧部１０３をバスバ１１に当接させることにより、バスバ１１のハウジング３内での移動が防止され、バスバ１１をハウジング３に保持することができる。
【００６６】
一方、押圧部１０３は、図１３に示すように、バスバ１１に変形や浮きなどの異常があり、ハウジング３の配置部１９上に配置されている場合、ハウジング３の他面側にカバー１３を組付けるときに、バスバ１１の異常部分と干渉し、カバー１３をハウジング３に組付けできないようにする。
【００６７】
このようにバスバ１１に異常な部分が発生している場合、押圧部１０３とバスバ１１の異常部分とが干渉することにより、カバー１３によってハウジング３の他面側を閉塞することができず、バスバ１１の異常を検知することができる。
【００６８】
なお、カバー１３の表面には、押圧部１０３の他に、傾斜面を有する案内リブ１０５が上方に向けて突設されている。この案内リブ１０５は、ハウジング３にカバー１３が組付けられた状態で、コネクタ３１と対応する位置に設けられており、電源供給コネクタとの急激な嵌合、いわゆるドツキを防止する。
【００６９】
このような照明装置１０１では、カバー１３にハウジング３を閉塞した状態で、バスバ１１に当接してバスバ１１をハウジング３に保持する押圧部１０３が設けられているので、ハウジング３内でバスバ１１が移動することがなく、バスバ１１をハウジング３に確実に保持することができる。
【００７０】
また、バスバ１１に変形や浮きなどが生じている場合には、押圧部１０３がバスバ１１の異常部分に干渉し、カバー１３をハウジング３に組付けることができない。これにより、バスバ１１の異常を検知することができる。
【００７１】
（第３実施形態）
図１４〜図１８を用いて第３実施形態について説明する。
【００７２】
本実施の形態に係る照明装置２０１は、バルブ７近傍とコネクタ３１近傍のバスバ１１は、ハウジング３に溶着固定されている。
【００７３】
なお、他の実施形態と同様の構成には、同一の符号を付して構成及び機能説明は他の実施形態を参照するものとし省略するが、同様の構成であるので得られる作用・効果は同様である。
【００７４】
図１４〜図１８に示すように、バルブ７近傍とコネクタ３１近傍のバスバ１１は、ハウジング３に溶着固定されている。詳細には、バルブ７の組付部分に位置するバスバ１１の電源供給バスバ２５とバルブバスバ２９とが、ハウジング３の配置部１９上に溶着固定されている。同様に、コネクタ３１内への挿入部２０３に位置するバスバ１１の電源供給バスバ２５とスイッチバスバ２７とは、ハウジング３の配置部１９上に溶着固定されている。
【００７５】
これらの溶着固定は、ハウジング３の配置部１９上にバスバ１１を配置した後、それぞれ所定の位置に溶融可能な溶着ピン２０５をバスバ１１を挿通して配置させ、溶着ピン２０５を溶着させて形成される溶着部２０７を介してバスバ１１をハウジング３の配置部１９上に固定する。
【００７６】
このようにバルブ７近傍とコネクタ３１近傍に位置するバスバ１１を溶着固定することにより、バルブ７の組付時やコネクタ３１の嵌合時のようにバスバ１１に大きな負荷がかかる部分のハウジング３に対するバスバ１１の固定を強化することができる。
【００７７】
なお、バスバ１１の溶着固定される部分以外は、押圧部１０３によってバスバ１１がハウジング３に固定されており、溶着固定する部分を削減でき、組付工程の簡略化が図られている。
【００７８】
このような照明装置２０１では、バルブ７近傍とコネクタ３１近傍のバスバ１１がハウジング３に溶着固定されているので、バルブ７の取付時やコネクタ３１の嵌合時にハウジング３内でバスバ１１が移動することを防止することができる。
【００７９】
（第４実施形態）
図１９〜図２１を用いて第４実施形態について説明する。
【００８０】
本実施の形態に係る照明装置３０１は、スイッチ９近傍のバスバ１１は、ハウジング３に溶着固定されている。
【００８１】
なお、他の実施形態と同様の構成には、同一の符号を付して構成及び機能説明は他の実施形態を参照するものとし省略するが、同様の構成であるので得られる作用・効果は同様である。
【００８２】
図１９〜図２１に示すように、スイッチ９近傍のバスバ１１は、ハウジング３に溶着固定されている。詳細には、スイッチ９の組付部分に位置するバスバ１１のスイッチバスバ２７とバルブバスバ２９とが、ハウジング３の配置部１９上に溶着固定されている。
【００８３】
この溶着固定は、ハウジング３の配置部１９上にバスバ１１を配置した後、所定の位置に溶融可能な溶着ピン３０３をスイッチバスバ２７及びバルブバスバ２９を挿通して配置させ、溶着ピン３０３を溶着させて形成される溶着部３０５を介してバスバ１１をハウジング３の配置部１９上に固定する。
【００８４】
このようにスイッチ９近傍に位置するバスバ１１を溶着固定することにより、スイッチ９の断続操作時のようにバスバ１１に大きな負荷がかかる部分のハウジング３に対するバスバ１１の固定を強化することができる。
【００８５】
なお、バスバ１１の溶着固定される部分以外は、押圧部１０３によってバスバ１１がハウジング３に固定されており、溶着固定する部分を削減でき、組付工程の簡略化が図られている。
【００８６】
このような照明装置３０１では、スイッチ９近傍のバスバ１１がハウジング３に溶着固定されているので、スイッチ９の断続操作によってハウジング３内でバスバ１１が移動することを防止することができる。
【００８７】
なお、本発明の実施の形態に係る照明装置では、カバーがヒンジ部を介してハウジングと一体に連結されているが、ヒンジ部を介在させずに、カバーとハウジングとを別体で設けてもよい。
【００８８】
また、スイッチは、全体がハウジング内に収容されているが、これに限らず、例えば、スイッチの接点部のような操作部をレンズ側から車室内に露出させてもよい。加えて、スイッチは、シーソー式スイッチであってもよい。
【００８９】
さらに、押圧部は、バスバの電源供給バスバとバルブバスバとに当接されているが、これに限らず、バスバのスイッチバスバと当接するようにカバーに押圧部を設けてもよい。
【００９０】
また、バスバの溶着固定と押圧部によるバスバの固定とを同時に行っているが、これに限らず、押圧部を設けずに、例えば、バルブ近傍、コネクタ近傍、スイッチ近傍などのようにバスバの主要部分のみの溶着固定だけであってもよい。
【符号の説明】
【００９１】
１，１０１，２０１，３０１…照明装置
３…ハウジング
５…レンズ
７…バルブ
９…スイッチ
１１…バスバ
１３…カバー
１５…保持部
１７…ヒンジ部
１０３…押圧部
【図１】
2015006868.tif 000003
【図２】
2015006868.tif 000004
【図３】
2015006868.tif 000005
【図４】
2015006868.tif 000006
【図５】
2015006868.tif 000007
【図６】
2015006868.tif 000008
【図７】
2015006868.tif 000009
【図８】
2015006868.tif 000010
【図９】
2015006868.tif 000011
【図１０】
2015006868.tif 000012
【図１１】
2015006868.tif 000013
【図１２】
2015006868.tif 000014
【図１３】
2015006868.tif 000015
【図１４】
2015006868.tif 000016
【図１５】
2015006868.tif 000017
【図１６】
2015006868.tif 000018
【図１７】
2015006868.tif 000019
【図１８】
2015006868.tif 000020
【図１９】
2015006868.tif 000021
【図２０】
2015006868.tif 000022
【図２１】
2015006868.tif 000023